(57)【要約】      （修正有）【課題】カード装着装置の小型化とカードトレイの装着の容易化。【解決手段】カードトレイと、カード対向面に配置されたカードと一緒にカードトレイを挿脱し得る挿脱口を一端部に持ち、カードとカードトレイとを一緒に収納可能なカード室を備え、カードトレイを挿脱口を介してカード室に進退移動可能に配設されるケース部材とを備え、カードトレイは一端部に引き手部を持ち、他端部にカード室の外側へのカードトレイの進出移動によってカードをカード室の外側に進出移動させるカード当接部を有し、カードトレイはその両側部に、上記進退移動方向に対し交差する方向で、かつカード対向面に沿う方向に弾性変形可能な脚部を備え、脚部は上記弾性変形可能な方向に突出するケース係合部を有し、ケース部材はカードトレイの上記進退移動をケース係合部との係合により案内する切り欠き部を備える。【選択図】図１
2008177923.tif 000002
【特許請求の範囲】
【請求項１】
カードと対向するカード対向面を有するカードトレイと、
前記カード対向面に対向して配置されたカードと一緒に前記カードトレイを挿脱し得る挿脱口を一端部に備えるとともに、前記カードの厚みと前記カード対向面での前記カードトレイの厚みとの和に相当する高さを持つように形成されて前記カードトレイを前記厚み方向の一方側に収納し、かつ前記一方側に収納された前記カードトレイの前記カード対向面に対向して配置された前記カードを前記厚み方向の他方側に収納するカード室を備え、前記カードトレイが前記挿脱口を介して前記カード室の外側への進出移動および前記カード室の内側への後退移動が可能に配設されるケース部材と、を備え、
前記カードトレイは、前記カードの幅と同一の幅を持つように形成されるとともに、一端部に設けられて前記ケース部材の前記挿脱口から露出する引き手部と、前記カードトレイの前記カード対向面に対向して配置された前記カードに前記カード室の外側への進出移動によって当接して前記カードを前記カード室の外側に進出移動させるカード当接部と、少なくとも一方の側部に設けられて前記進出移動および前記後退移動の方向に対し交差する方向であってかつ前記カード対向面に沿う方向に弾性変形可能に形成される弾性変形部と、を備え、
前記弾性変形部は、前記進出移動および前記後退移動の方向に対し交差する方向であってかつ前記カード対向面に沿う方向に突出するケース係合部を有し、
前記ケース部材は、前記カード室の前記一方側に収納された前記カードトレイの前記カード室外側への進出移動および前記カード室内側への後退移動に伴って移動する前記ケース係合部に対応する前記カード室内の部位に形成されて前記進出移動および前記後退移動を前記ケース係合部との係合により案内する切り欠き部を備える、ことを特徴とするカード装着装置。
【請求項２】
前記ケース部材は、前記切り欠き部の前記一端部側の端部に、前記カードトレイが前記挿脱口を介して前記カード室外側へ進出移動した状態で前記ケース係合部と係合して前記カードトレイのさらなる進出を阻止するカードトレイ進出阻止部を備えるとともに、前記切り欠き部の前記一端部側と反対側の端部に、前記カードトレイが前記挿脱口を介して前記カード室内側へ後退移動した状態で前記ケース係合部と係合して前記カードトレイのさらなる後退を阻止するカードトレイ後退阻止部を備え、
前記カードトレイ進出阻止部および前記カードトレイ後退阻止部は、前記カードトレイの前記ケース係合部の厚みと同一の高さを有する切り欠きによって形成される、ことを特徴とする請求項１記載のカード装着装置。
【請求項３】
前記切り欠き部の、前記カードトレイ進出阻止部と前記カードトレイ後退阻止部との間に、前記ケース係合部の厚みよりも大きい高さを有する切り欠きによって形成された拡開部を持つ、ことを特徴とする請求項２記載のカード装着装置。
【請求項４】
前記カードは、端子面を有し、
前記カード室の内部には、前記切り欠き部に対応した位置に、前記カードの前記端子面と電気的に接続可能なバネ端子を有するコネクター部が配置されている、ことを特徴とする請求項１から３までの何れか一項記載のカード装着装置。
【請求項５】
前記カードは、端子面を有し、
前記カード室の内部には、前記切り欠き部の前記拡開部と対応した位置に、前記カードの前記端子面と電気的に接続可能なバネ端子を有するコネクター部が配置されている、ことを特徴とする請求項３記載のカード装着装置。
【請求項６】
前記カードトレイは、前記進出移動および前記後退移動の方向に延在して形成されて前記カードトレイの前記カード室外側への進出移動および前記カード室内側への後退移動に伴い前記コネクタ部との干渉を避ける第２切り欠き部を備え、
前記カードの前記端子面は、前記カードが前記カードトレイの前記カード対向面に対向して配置されて前記カード室に収納された状態で、前記第２切り欠き部を介して前記コネクタ部の前記バネ端子と電気的に接触する、ことを特徴とする請求項４または５記載のカード装着装置。
【請求項７】
前記ケース部材は、開口部を持つ筐体内に前記挿脱口が前記開口部から露出するように配設され、前記カードトレイの前記カード対向面を前記筐体の内側に向けて、前記カード対向面に対向して配置された前記カードと一緒に前記カードトレイを前記カード室に収納すること、を特徴とする請求項１から６までの何れか一項記載のカード装着装置。
【発明の詳細な説明】
【技術分野】
【０００１】
この発明は、カードが装着されるカード装着装置に関するものである。
【背景技術】
【０００２】
ＩＣカード等のカードが装着されるカード装着装置としては従来、例えば特許文献１記載の複数のＩＣカードを省スペースで折畳式携帯電子装置に装着する装置が知られており、この従来のカード装着装置は、上記ＩＣカードの一種であるＵＩＭ（User’s Identity Module）カード（ＳＩＭカード）を、ＵＩＭトレイ内に収めた状態でそのＵＩＭトレイと一緒に進退摺動させるようにして、折畳式携帯電子装置内に設けられたカード室に対し挿脱可能としている。
【特許文献１】特開２００４−２２２１７０号公報
【発明の開示】
【発明が解決しようとする課題】
【０００３】
しかしながら上記従来のカード装着装置では、ＵＩＭトレイがＵＩＭカードの周囲を囲む枠部を有するとともに、ＵＩＭトレイの厚み方向に突出する抜け止め用の係合部を有しているため、ＵＩＭトレイが幅方向および厚み方向に大型化してしまい、それゆえカード装着装置全体も大型化してしまうという問題があった。
【０００４】
またＵＩＭトレイの幅が挿脱口と実質的に同一とされるとともに、ＵＩＭトレイが後端突部のみ僅かに弾性変形可能に形成されているため、挿脱口とＵＩＭトレイの後端部との幅方向位置を正確に合わせてからでないとＵＩＭトレイをカード室に挿入して装着することができず、カード室へのＵＩＭトレイの装着が容易でないという問題もあった。
【課題を解決するための手段】
【０００５】
この発明は、上記課題を有利に解決することを目的とするものであり、この発明のカード装着装置は、カードと対向するカード対向面を有するカードトレイと、前記カード対向面に対向して配置されたカードと一緒に前記カードトレイを挿脱し得る挿脱口を一端部に備えるとともに、前記カードの厚みと前記カード対向面での前記カードトレイの厚みとの和に相当する高さを持つように形成されて前記カードトレイを前記厚み方向の一方側に収納し、かつ前記一方側に収納された前記カードトレイの前記カード対向面に対向して配置された前記カードを前記厚み方向の他方側に収納するカード室を備え、前記カードトレイが前記挿脱口を介して前記カード室の外側への進出移動および前記カード室の内側への後退移動が可能に配設されるケース部材と、を備え、前記カードトレイは、前記カードの幅と同一の幅を持つように形成されるとともに、一端部に設けられて前記ケース部材の前記挿脱口から露出する引き手部と、前記カードトレイの前記カード対向面に対向して配置された前記カードに前記カード室の外側への進出移動によって当接して前記カードを前記カード室の外側に進出移動させるカード当接部と、少なくとも一方の側部に設けられて前記進出移動および前記後退移動の方向に対し交差する方向であってかつ前記カード対向面に沿う方向に弾性変形可能に形成される弾性変形部と、を備え、前記弾性変形部は、前記進出移動および前記後退移動の方向に対し交差する方向であってかつ前記カード対向面に沿う方向に突出するケース係合部を有し、前記ケース部材は、前記カード室の前記一方側に収納された前記カードトレイの前記カード室外側への進出移動および前記カード室内側への後退移動に伴って移動する前記ケース係合部に対応する前記カード室内の部位に形成されて前記進出移動および前記後退移動を前記ケース係合部との係合により案内する切り欠き部を備える、ことを特徴としている。
【発明の効果】
【０００６】
この発明のカード装着装置にあっては、カードの挿入の際は、カードをケース部材の挿脱口から、カード室内側に後退移動したままのカードトレイのカード対向面に対し摺動させてカード室内に移動させることができ、あるいはカードを、カード室外側に進出移動したカードトレイのカード対向面に添わせてカードトレイと一緒にカード室内に後退移動させることができる。またカードの取出しの際は、ケース部材の挿脱口から露出した、カードトレイの引き手部を引くことで、ケース部材の挿脱口を介してカードトレイをカード室外側に進出移動させると、カード当接部が、カード対向面に対向して配置されたカードと当接してそのカードをカード室外側に進出移動させ、これによりカードがケース部材の挿脱口からケース部材外に取り出される。
【０００７】
そしてカードトレイの上記進出移動および後退移動の際には、カードトレイの少なくとも一方の側部に設けられて当該カードトレイの進出移動および後退移動の方向に対し交差する方向であってかつカード対向面に沿う方向に弾性変形可能に形成される弾性変形部が、上記進出移動および後退移動の方向に対し交差する方向であってかつカード対向面に沿う方向に突出するケース係合部が、ケース部材の、カードトレイに伴って進出移動および後退移動するそのケース係合部に対応するカード室内の部位に形成された切り欠き部に係合することで、その切り欠き部がカードトレイのカード室外側への進出移動およびカード室内側への後退移動を案内する。
【０００８】
さらにカードトレイは、カードの幅と同一の幅を持ち、カード室は、カードの厚みとカード対向面でのカードトレイの厚みとの和に相当する高さを持つように形成されて、カードトレイをその厚み方向の一方側に収納するとともに、その一方側に収納されたカードトレイのカード対向面に対向して配置されたカードを厚み方向の他方側に収納する。
【０００９】
従ってこの発明のカード装着装置によれば、カードトレイの幅がカードの幅と同一であり、ケース部材のカード室もカードの厚みとカード対向面でのカードトレイの厚みとの和に相当する高さを持つように形成されているので、カード装着装置全体を小型化することができる。
【００１０】
またカードトレイの少なくとも一方の側部に、当該カードトレイの進出移動および後退移動の方向に対し交差する方向であってかつカード対向面に沿う方向に弾性変形可能に形成される弾性変形部が設けられ、その弾性変形部が有するケース係合部が、上記進出移動および後退移動の方向に対し交差する方向であってかつカード対向面に沿う方向に突出して、ケース部材のカード室内に形成されてカードトレイの進退移動を案内する切り欠き部と係合することから、カードトレイをカード室に挿入して装着する際は弾性変形部を弾性変形させてケース係合部を引っ込めるだけで挿入できるので、カード室へのカードトレイの装着を容易ならしめることができる。
【発明を実施するための最良の形態】
【００１１】
以下、本発明の実施の形態を実施例によって、図面に基づき詳細に説明する。ここに、図１は、携帯電子装置としての折畳式携帯電話機に設けられた、この発明のカード装着装置の一実施例の構成を示す、図２中のＡ−Ａ線に沿う断面図であり、図２は、その折畳式携帯電話機の文字入力側筐体を、電池蓋および電池を除いた状態でリアケース側から見て示す斜視図であり、図３（ａ），（ｂ）は、その折畳式携帯電話機を表示側筐体と文字入力側筐体とを相互に閉じた状態および開いた状態でそれぞれ示す斜視図であり、そして図４は、その折畳式携帯電話機の文字入力側筐体の内部の構成をこの実施例のカード装着装置の構成とともに示す分解斜視図である。なお、図中、符号１はこの折畳式携帯電話機を、そして符号１０はこの実施例のカード装着装置を示す。
【００１２】
ここにおける折畳式携帯電話機１は、図３に示すように、表示側筐体２と文字入力側筐体３とを備え、表示側筐体２は、フロントケース２ａとリアケース２ｂとが相互に嵌合固定されて構成され、その一方、文字入力側筐体３は、フロントケース３ａとリアケース３ｂとが相互に嵌合されるとともにケース固定用ネジで固定されて構成されている。そしてこれら表示側筐体２と文字入力側筐体３とは、ヒンジ部４を介して相互に開閉自在に連結されている。
【００１３】
表示側筐体２は、フロントケース２ａとリアケース２ｂとの内部に図示しない回路基板を内蔵し、その回路基板の表面に設置された液晶表示ユニット５が、フロントケース２ａからトリムプレートを介して視認可能に配置されている。またその回路基板には、スピーカ等の各種電子部品が実装されて電気的に接続されている。
【００１４】
一方、文字入力側筐体３は、図４に示すように、フロントケース３ａとリアケース３ｂとの内部に、回路基板６を内蔵するとともに、その回路基板６の裏面（図４では上面）に重ねて、通電部材および電磁シールド部材としての金属製の図示しないシールドケースが設置されており、そのシールドケースには、複数のキースイッチを搭載してキー基板を構成する図示しないキーフレキシブル基板（キーＦＰＣ）が重ねられている。そしてそのキーＦＰＣには、図示しないキーシートが重ねて配置され、またそのキーシートの上記キースイッチと対向する位置には図３に示す操作キー７がそれぞれ配置され、この操作キー７がフロントケース３ａから表出している。また回路基板６には、マイク等の各種電子部品が実装されて電気的に接続されている。
【００１５】
さらに、文字入力側筐体３内には、図４に示す電池８の収納のために、図２に示すように、電池収納部３ｃが設けられ、文字入力側筐体３のリアケース３ｂには、電池８の着脱用の開口３ｄ（開口部）が形成されて、そこに開口３ｄを被覆可能な電池蓋９が着脱可能に装着される。
【００１６】
かかる折畳式携帯電話機１の文字入力側筐体３内に設けられたこの実施例のカード装着装置１０は、例えばＩＣカードの一種であるＵＩＭ（User Identity Module）カード１１を上記折畳式携帯電話機１に挿脱可能に装着するためのもので、図１および図４に示すように、カードトレイとしてのＵＩＭ引き出し１２と、ケース部材としての実装板金部材１３と、サブ基板１４とを備えており、ここでＵＩＭ引き出し１２は、平面形状が略コ字形の板状をなすとともに、一方の面（図１では下面、図４では上面）に平坦なカード対向面１２ａ（カードと対向する面）を有している。
【００１７】
また実装板金部材１３は、サブ基板１４の裏面（図１では上面、図４では下面）上に例えば半田付け等により実装され、そのサブ基板１４は、図２に示す状態から文字入力側筐体３のリアケース３ｂを除いた図５の斜視図に示す如く、実装板金部材１３をサブ基板ケース１５との間に挟むようにして回路基板６に搭載されている。また、実装板金部材１３は、図１に示すように、ＵＩＭ引き出し１２のカード対向面１２ａに対向して配置されたＵＩＭカード１１と一緒にＵＩＭ引き出し１２を挿脱し得る挿脱口１３ａを一端部に持つとともに、図１および図４に示すように、ＵＩＭカード１１の厚みとカード対向面１２ａでのＵＩＭ引き出し１２の厚みとの和に相当する高さを持つように形成されＵＩＭ引き出し１２をその厚み方向の一方側に収納し、かつ上記一方側に収納されたＵＩＭ引き出し１２のカード対向面１２ａに対向して配置されたＵＩＭカード１１をその厚み方向の他方側に収納するカード室１３ｂを形成し、これにより後述のように、ＵＩＭ引き出し１２を、挿脱口１３ａを介してカード室１３ｂの外側に進出移動可能およびカード室１３ｂの内側に後退移動可能に配設する。なお、挿脱口１３ａは、電池蓋９がない状態における文字入力側筐体３の開口３ｄから視認可能に露出している。
【００１８】
この実施例のカード装着装置１０について、以下に、図面を用いてさらに具体的に説明する。ここに、図６（ａ），（ｂ），（ｃ）は、サブ基板１４の裏面上に実装された実装板金部材１３と、その実装板金部材１３が形成するカード室１３ｂ内にＵＩＭカード１１と一緒に収納されたＵＩＭ引き出し１２とを示す図で、図６（ａ）はサブ基板１４の表面側から、また図６（ｂ）はサブ基板１４の裏面側からそれぞれ見た斜視図であり、図６（ｃ）は、その図６（ｂ）中のＢ−Ｂ線に沿う断面図である。そして図７（ａ），（ｂ）は、そのサブ基板１４の裏面上に実装された実装板金部材１３を示す側面図および裏面図であり、図８は、そのサブ基板１４の裏面上の実装板金部材１３で覆われる位置に実装されたバネ接点タイプコネクター１６を実装板金部材１３を除いて示す斜視図である。
【００１９】
また、図９（ａ），（ｂ）は、実装板金部材１３を表側および裏側からそれぞれ見た斜視図であり、図１０（ａ），（ｂ）は、サブ基板１４の裏面上に実装された実装板金部材１３と、そこに収納されたＵＩＭ引き出し１２と、サブ基板１４の裏面上に実装されたバネ接点タイプコネクター１６との位置関係をサブ基板１４を省略して示す、実装板金部材１３の裏側の二方向からそれぞれ見た斜視図であり、そして図１１は、図１０（ｂ）と同様のものを、ＵＩＭ引き出し１２のカード対向面１２ａに対向して配置されたＵＩＭカード１１とともに、ＵＩＭ引き出し１２を所定係止位置まで引き出した状態で示す斜視図である。
【００２０】
これらの図並びに図１に示すように、ＵＩＭ引き出し１２は、ＵＩＭカード１１の幅と実質的に同一の幅を持つように形成され、その一端部（図１では右端部）に、実装板金部材１３の挿脱口１３ａから露出してカード対向面１２ａと反対の側の面よりも突出する突出部を有する引き手部１２ｂを備えるとともに、その引き手部１２ｂに隣接する板状部の幅方向中央部に、当該ＵＩＭ引き出し１２の他端部（図１では左端部）側から当該ＵＩＭ引き出し１２の進退移動方向に延在する、第２切り欠き部としての切り欠き部を形成されることにより、その引き手部１２ｂに隣接する板状部の幅方向両端部から引き手部１２ｂと直角かつ互いに平行に延在する二本の脚部１２ｃ，１２ｄを有して略コ字形をなしており、これら二本の脚部１２ｃ，１２ｄは、脚部１２ｃ，１２ｄにおける他端部（脚部のつけ根に相当する部位）を支点として、ＵＩＭ引き出し１２の上記進退移動の方向に対し交差する方向であってかつカード対向面１２ａに沿う方向であるＵＩＭ引き出し１２の幅方向に弾性変形されるため、弾性変形部として機能する。
【００２１】
そして、サブ基板１４の裏面上に実装された、バネ端子を有するコネクター部としてのバネ接点タイプコネクター１６は、ＵＩＭ引き出し１２の進出移動および後退移動に干渉しないようにそのコ字形のＵＩＭ引き出し１２の内側に位置して、ＵＩＭ引き出し１２のカード対向面１２ａに対向して配置されて実装板金部材１３のカード室１３ｂ内の所定挿入位置に位置したＵＩＭカード１１の表面の端子面と、バネ接点（バネ端子）を介して電気的に接続される。
【００２２】
またＵＩＭ引き出し１２は、その引き手部１２ｂを持つ端部と反対の側の端部すなわち上記二本の脚部１２ｃ，１２ｄのうちの長い方の脚部１２ｃの先端部（図１では左端部）に、実装板金部材１３の挿脱口１３ａを介するＵＩＭ引き出し１２の進出移動によって、カード対向面１２ａに対向して配置されたＵＩＭカード１１と当接してそのカードを進出移動させるように、カード対向面１２ａから突出したカード当接部１２ｅを有している。そしてＵＩＭ引き出し１２の、引き手部１２ｂが設けられた一端部の、カード対向面１２ａと同じ側の面は、そのカード対向面１２ａと同一平面上に位置するように形成されて、実質的にカード対向面１２ａの一部をなしている。
【００２３】
さらにＵＩＭ引き出し１２は両側部に、それら二本の脚部１２ｃ，１２ｄからそれぞれそれら脚部１２ｃ，１２ｄの弾性変形可能方向であるＵＩＭ引き出し１２の幅方向の外方へ突出するケース係合部１２ｆを有し、また実装板金部材１３は、図７（ａ）に示すように、サブ基板１４の裏面上に実装された状態では細長いスロットを形成する細長い切り欠き部１３ｃを左右側部に有し、それらの切り欠き部１３ｃは各々、長手方向両端部でＵＩＭ引き出し１２のケース係合部１２ｆの厚みに概略等しい深さに切り欠かれるとともに、長手方向中央部でそれより少し深く切り欠かれているので、すなわち、ケース係合部１２ｆの厚みよりも大きい高さになるように深く切り欠かれているので、実装板金部材１３がサブ基板１４の裏面上に実装された状態でそれら切り欠き部１３ｃが形成するスロットは各々、長手方向中央部で幅が滑らかに拡開されている。
【００２４】
ＵＩＭ引き出し１２の二本の脚部１２ｃ，１２ｄのケース係合部１２ｆは、図１１に示すように、実装板金部材１３の内側から上記左右の切り欠き部１３ｃに挿通されて実装板金部材１３の外部に突出し、これによりこれらの切り欠き部１３ｃの一端部は、実装板金部材１３の挿脱口１３ａを介するＵＩＭ引き出し１２の進出状態で、そのＵＩＭ引き出し１２のケース係合部１２ｆと係合して、ＵＩＭ引き出し１２のさらなる進出を阻止するカードトレイ進出係止部として機能し、またこれらの切り欠き部１３ｃの他端部は、実装板金部材１３の挿脱口１３ａを介するＵＩＭ引き出し１２の後退状態で、そのＵＩＭ引き出し１２のケース係合部１２ｆと係合して、ＵＩＭ引き出し１２のさらなる後退を阻止するカードトレイ後退係止部として機能する。
【００２５】
ここで、左右の切り欠き部１３ｃが形成するスロットは各々長手方向中央部で滑らかに拡開する拡開部としての幅を有しているので、実装板金部材１３にＵＩＭ引き出し１２を組み付ける際は、ＵＩＭ引き出し１２の二本の脚部１２ｃ，１２ｄの先端部を例えば二本の指で側方から押して弾性的に互いに近寄らせながら、それらのスロットの幅広の中央部までＵＩＭ引き出し１２の二本の脚部１２ｃ，１２ｄを挿入すれば、それらの脚部１２ｃ，１２ｄのケース係合部１２ｆを、左右の切り欠き部１３ｃが形成するスロットに容易に挿通することができる。また、図７（ａ）に示すように、それら左右の切り欠き部１３ｃが形成するスロットからは、特にその幅広の中央部で容易に、サブ基板１４の裏面上に実装されたバネ接点タイプコネクター１６が横から見えるので、この切り欠き部１３ｃによれば、バネ接点タイプコネクター１６の弾性状態（接点が正常に起きていること）や、バネ接点タイプコネクター１６へのゴミや埃の付着の度合いを容易に確認することができる。なお、図７（ｂ）に示すように、実装板金部材１３の表面にも、バネ接点タイプコネクター１６の弾性状態や、バネ接点タイプコネクター１６へのゴミや埃の付着の度合いを確認できるように複数の穴１３ｄが設けられている。
【００２６】
また、実装板金部材１３の左右の切り欠き部１３ｃは各々、その中央部を除けばＵＩＭ引き出し１２のケース係合部１２ｆの厚さに概略等しい深さを有していることから、それら左右の切り欠き部１３ｃが形成するスロットは各々、その中央部を除けばケース係合部１２ｆの厚さに概略等しい幅を有しているので、実装板金部材１３の挿脱口１３ａを介してＵＩＭ引き出し１２を進出および後退移動させる際には、それら左右の切り欠き部１３ｃが形成するスロットはＵＩＭ引き出し１２の移動を案内するガイド部として機能し、ＵＩＭ引き出し１２を進出移動させて実装板金部材１３の左右の切り欠き部１３ｃの上記一端部にＵＩＭ引き出し１２の二本の脚部のケース係合部１２ｆを係合させると、それらのケース係合部１２ｆは左右の切り欠き部１３ｃが形成するスロットに密に嵌合し、これによりＵＩＭ引き出し１２はしっかりと支持される。
【００２７】
さらにＵＩＭ引き出し１２の、カード当接部１２ｅの、ＵＩＭカード１１と当接する端縁から引き手部１２ｂの先端までの長さは、その長さ方向に対応する方向の、ＵＩＭカード１１の長さと略同一かそれよりも短く（図示例では略同一と）されている。これは、ＵＩＭカード１１を抜き出す際はＵＩＭ引き出し１２の一端部のカード当接部１２ｅだけがＵＩＭカード１１と当接すれば足り、先に示した特許文献１のＳＩＭトレイのようにカードの周囲を囲む枠部を必要としないのでＵＩＭ引き出し１２は短くて済み、ＵＩＭカード１１を挿入する際はＵＩＭ引き出し１２が長すぎるとそれがかえってＵＩＭカード１１の挿入の妨げになるからである。
【００２８】
このようにして、この実施例のカード装着装置１０の実装板金部材１３は、電池８の着脱用の開口３ｄを持つ文字入力側筐体３内に搭載され、ＵＩＭ引き出し１２のカード対向面１２ａを文字入力側筐体３の内側に向けて、そのカード対向面１２ａに対向して配置されたＵＩＭカード１１と一緒にＵＩＭ引き出し１２をカード室１３ｂ内に収納する。
【００２９】
かかるこの実施例のカード装着装置１０にあっては、実装板金部材１３が、ＵＩＭ引き出し１２のカード対向面１２ａに対向して配置されたＵＩＭカード１１と一緒にＵＩＭ引き出し１２を挿脱し得る挿脱口１３ａを一端部に持つとともに、そのカード対向面１２ａに対向して配置されたＵＩＭカード１１と一緒にＵＩＭ引き出し１２を収納し得るカード室１３ｂを形成し、ＵＩＭ引き出し１２の引き手部１２ｂが設けられた一端部の、カード対向面１２ａと同じ側の面が、カード対向面１２ａと同一平面上に位置するように形成されているので、ＵＩＭカード１１の挿入の際は、先ず電池蓋９を開けて電池収納部３ｃ内から電池８を取り出してから、図１２（ａ）に矢印で示すように、実装板金部材１３の挿脱口１３ａからカード室１３ｂ内に、そのカード室１３ｂ内に後退移動したままのＵＩＭ引き出し１２のカード対向面１２ａにＵＩＭカード１１を添わせて摺動させて挿入するか、またはＵＩＭカード１１を、カード室１３ｂの外側に進出移動したＵＩＭ引き出し１２のカード対向面１２ａに添わせてＵＩＭ引き出し１２と一緒にカード室１３ｂ内に後退移動させて挿入する。
【００３０】
またＵＩＭカード１１の取出しの際は、先ず電池蓋９を開けて電池収納部３ｃ内から電池８を取り出してから、図１２（ｂ）に矢印で示すように、実装板金部材１３の挿脱口１３ａから露出した、ＵＩＭ引き出し１２の引き手部１２ｂを引くことで、その挿脱口１３ａを介してＵＩＭ引き出し１２をカード室１３ｂから電池収納部３ｃ内に進出移動させると、カード当接部１２ｅが、カード対向面１２ａに対向して配置されたＵＩＭカード１１の端部と当接してそのＵＩＭカード１１を進出移動させ、これによりＵＩＭカード１１が実装板金部材１３の挿脱口１３ａから実装板金部材１３外に取り出される。
【００３１】
なお、この取出しの際、カード対向面１２ａに対向して配置されたＵＩＭカード１１の全体がカード室１３ｂの外に引き出される状態となるまでＵＩＭ引き出し１２を進出移動させる必要はなく、例えば図１１に示す如きケース係合部１２ｆと切り欠き部１３ｃとが当接している状態のような、ＵＩＭカード１１の一部がカード室１３ｂの外へ露出する状態となるまでＵＩＭ引き出し１２を引き出せば、その後は、ＵＩＭカード１１を、ＵＩＭ引き出し１２のカード対向面１２ａから引き手部１２ｂが設けられた一端部のカード対向面と同じ側の面に向けて添わせて摺動させてカード室１３ｂの外に取り出し、または、一旦ＵＩＭ引き出し１２を後退移動させてカード室１３ｂ内に収納し、ＵＩＭカード１１をカード対向面１２ａから離間させてから（この場合は、カード当接部１２ｅはＵＩＭカード１１と当接しないため、ＵＩＭ引き出し１２の後退移動に伴ってＵＩＭカード１１も後退移動することはない。）、ＵＩＭカード１１をカード室１３ｂの外に取り出せばよい。
【００３２】
さらにこの実施例のカード装着装置１０にあっては、ＵＩＭ引き出し１２は、ＵＩＭカード１１の幅と実質的に同一の幅を持ち、実装板金部材１３のカード室１３ｂは、ＵＩＭカード１１の厚みとカード対向面１２ａでのＵＩＭ引き出し１２の厚みとの和に相当する高さを持つように形成されて、ＵＩＭ引き出し１２をその厚み方向の一方側（図１では上側）に収納するとともに、その一方側に収納されたＵＩＭ引き出し１２のカード対向面１２ａに対向して配置されたＵＩＭカード１１を厚み方向の他方側（図１では下側）に収納する。
【００３３】
従ってこの実施例のカード装着装置１０によれば、ＵＩＭ引き出し１２の幅がＵＩＭカード１１の幅と同一であり、実装板金部材１３のカード室１３ｂもＵＩＭカード１１の厚みとカード対向面１２ａでのＵＩＭ引き出し１２の厚みとの和に相当する高さを持つように形成されているので、カード装着装置全体を小型化することができる。
【００３４】
しかもこの実施例のカード装着装置１０によれば、実装板金部材１３が、左右の切り欠き部１３ｃの一端部に、ＵＩＭ引き出し１２が挿脱口１３ａを介してカード室１３ｂの外側へ進出移動した状態でケース係合部１２ｆと係合してＵＩＭ引き出し１２のさらなる進出を阻止するカードトレイ進出阻止部を備えるとともに、左右の切り欠き部１３ｃの他端部に、ＵＩＭ引き出し１２が挿脱口１３ａを介してカード室１３ｂの内側へ後退移動した状態でケース係合部１２ｆと係合してＵＩＭ引き出し１２のさらなる後退を阻止するカードトレイ後退阻止部を備え、それらカードトレイ進出阻止部およびカードトレイ後退阻止部が、ＵＩＭ引き出し１２のケース係合部１２ｆの厚みと実質的に同一の高さを有する切り欠き部１３ｃによって形成されることから、ＵＩＭ引き出し１２のケース係合部１２ｆがそれらカードトレイ進出阻止部またはカードトレイ後退阻止部に係合すると、カード室１３ｂの厚み方向一方側に位置するＵＩＭ引き出し１２が安定するため、してＵＩＭ引き出し１２の紛失を好適に抑制することができるとともに、カード室１３ｂの厚み方向他方側にＵＩＭカード１１の収納のための空間を確実に確保し得て、ＵＩＭカード１１の挿脱を容易ならしめることができる。
【００３５】
さらに、この実施例のカード装着装置１０によれば、実装板金部材１３の左右の切り欠き部１３ｃの両端部の上記カードトレイ進出阻止部とカードトレイ後退阻止部との間に、ケース係合部１２ｆの厚みよりも大きい高さを有する切り欠きによって形成された拡開部を持つことから、ＵＩＭ引き出し１２の左右側部のケース係合部１２ｆと実装板金部材１３の左右の切り欠き部１３ｃとの係合を容易に行うことができる。
【００３６】
さらに、この実施例のカード装着装置１０によれば、ＵＩＭカード１１が端子面を有し、実装板金部材１３のカード室１３ｂの内部には、左右の切り欠き部１３ｃと対応した位置であって、特にその拡開部と対応した位置に、ＵＩＭカード１１の端子面と電気的に接続可能なバネ接点（バネ端子）を有するバネ接点タイプコネクター１６が配置されていることから、左右の切り欠き部１３ｃを介してバネ接点タイプコネクター１６のバネ接点のメンテナンスを行うことができ、特にその拡開部を用いること容易にバネ接点のメンテナンスを行うことができる。
【００３７】
さらに、この実施例のカード装着装置１０によれば、ＵＩＭ引き出し１２が、当該ＵＩＭ引き出し１２の進出移動および後退移動の方向に延在して形成されて当該ＵＩＭ引き出し１２のカード室１３ｂの外側への進出移動およびカード室１３ｂの内側への後退移動に伴いバネ接点タイプコネクター１６との干渉を避ける第２切り欠き部としての切り欠き部を備え、ＵＩＭカード１１の端子面が、そのＵＩＭカード１１がＵＩＭ引き出し１２のカード対向面１２ａに対向して配置されてカード室１３ｂに収納された状態で、上記切り欠き部を介してバネ接点タイプコネクター１６のバネ端子と電気的に接触することから、バネ接点タイプコネクター１６の厚みがカード装着装置全体の厚みに影響しない構成となるので、カード装着装置の薄型化を実現でき、この点からもカード装着装置を小型化することができる。
【００３８】
そして、この実施例のカード装着装置１０によれば、実装板金部材１３が、電池８の着脱用の開口３ｄを持つ文字入力側筐体３内に挿脱口１３ａが開口３ｄから露出するよう配設され、ＵＩＭ引き出し１２のカード対向面１２ａを文字入力側筐体３の内側に向けて、そのカード対向面１２ａに対向して配置されたＵＩＭカード１１と一緒にＵＩＭ引き出し１２がカード室１３ｂ内に収納されることから、ＵＩＭ引き出し１２および引き手部１２ｂがＵＩＭカード１１よりも文字入力側筐体３の外側に位置するので、カード室１３ｂに対するＵＩＭカード１１の挿脱を容易にし得て、カード装着装置の設計上の自由度を高めることができる。
【００３９】
以上、図示例に基づき説明したが、この発明は上述の例に限定されるものでなく、特許請求の範囲の記載範囲内で適宜変更し得るものであり、例えばこの発明のカード装着装置は、携帯電話機以外の、例えば無線通信機能付きパームトップコンピュータや無線通信機能付きゲーム機等の携帯電子装置にも、あるいはそれ以外の電子装置にも適用することができる。またこの発明のカード装着装置におけるカードは、ＵＩＭカード１１以外の、例えばＳＩＭカード等のＩＣカード等、その他のカードでも良い。
【００４０】
また、上述した実施例ではカードトレイとしてのＵＩＭ引き出し１２を、ＵＩＭカード１１よりも文字入力側筐体３の開口３ｄに近づけて配置したが、逆にカードの方を、カードトレイよりも、筐体の開口部に近づけて配置しても良い。
【００４１】
さらに、上述した実施例ではＵＩＭ引き出し１２の幅方向中央部に切り欠き部を形成することで、弾性変形部として幅方向に弾性変形可能な脚部１２ｃ，１２ｄを設けたが、代わりに、例えばカードトレイの側部付近にそのカードトレイの進退移動方向へ延在するスリットを形成することでカードトレイの側部に弾性変形部を設けても良く、さらに他の方法で弾性変形部を設けても良い。例えば、ＵＩＭ引き出し１２が軟質樹脂で形成されることにより弾性を持つように構成されていても良い。そして、上述した実施例ではＵＩＭ引き出し１２の左右側部に弾性変形部として、各々ケース係合部１２ｆを有する二本の脚部１２ｃ，１２ｄを設けたが、ケース係合部を有する弾性変形部は、カードトレイの左右側部の何れか一方に設けても良い。
【産業上の利用可能性】
【００４２】
かくしてこの発明のカード装着装置によれば、カードトレイの幅がカードの幅と同一であり、ケース部材のカード室もカードの厚みとカード対向面でのカードトレイの厚みとの和に相当する高さを持つように形成されているので、カード装着装置全体を小型化することができる。
【００４３】
またカードトレイの少なくとも一方の側部に、当該カードトレイの進出移動および後退移動の方向に対し交差する方向であってかつカード対向面に沿う方向に弾性変形可能に形成される弾性変形部が設けられ、その弾性変形部が有するケース係合部が、上記進出移動および後退移動の方向に対し交差する方向であってかつカード対向面に沿う方向に突出して、ケース部材のカード室内に形成されてカードトレイの進退移動を案内する切り欠き部と係合することから、カードトレイをカード室に挿入して装着する際は弾性変形部を弾性変形させてケース係合部を引っ込めるだけで挿入できるので、カード室へのカードトレイの装着を容易ならしめることができる。
【図面の簡単な説明】
【００４４】
【図１】携帯電子装置としての折畳式携帯電話機に設けられた、この発明のカード装着装置の一実施例の構成を示す、図２中のＡ−Ａ線に沿う断面図である。
【図２】上記折畳式携帯電話機の文字入力側筐体を、電池蓋および電池を除いた状態でリアケース側から見て示す斜視図である。
【図３】（ａ），（ｂ）は、上記折畳式携帯電話機を表示側筐体と文字入力側筐体とを相互に閉じた状態および開いた状態でそれぞれ示す斜視図である。
【図４】上記折畳式携帯電話機の文字入力側筐体の内部の構成をそこに設けられた上記実施例のカード装着装置の構成とともに示す分解斜視図である。
【図５】図２に示す状態から文字入力側筐体のリアケースを除いた斜視図である。
【図６】（ａ），（ｂ），（ｃ）は、上記実施例のカード装着装置の、サブ基板の裏面上に実装された実装板金部材と、その実装板金部材が形成するカード室内にＵＩＭカードと一緒に収納されたＵＩＭ引き出しとを示す、サブ基板の表面側および裏面側からそれぞれ見た斜視図および、その（ｂ）中のＢ−Ｂ線に沿う断面図である。
【図７】（ａ），（ｂ）は、上記サブ基板の裏面上に実装された上記実装板金部材を示す側面図および裏面図である。
【図８】上記サブ基板の裏面上の上記実装板金部材で覆われる位置に実装されたバネ接点タイプコネクターをその実装板金部材を除いて示す斜視図である。
【図９】（ａ），（ｂ）は、上記実装板金部材を表側および裏側からそれぞれ見た斜視図である。
【図１０】（ａ），（ｂ）は、上記サブ基板の裏面上に実装された上記実装板金部材と、そこに収納された上記ＵＩＭ引き出しと、サブ基板の裏面上に実装された上記バネ接点タイプコネクターとの位置関係をそのサブ基板を省略して示す上記実装板金部材の裏側の二方向からそれぞれ見た斜視図である。
【図１１】図１０（ｂ）と同様のものを、上記ＵＩＭ引き出しのカード対向面に保持された上記ＵＩＭカードとともに、そのＵＩＭ引き出しを所定係止位置まで引き出した状態で示す斜視図である。
【図１２】（ａ），（ｂ）は、上記実施例のカード装着装置の、上記ＵＩＭカードの挿入方法と引き出し方法とをそれぞれ示す斜視図である。
【符号の説明】
【００４５】
１  折畳式携帯電話機
２  表示側筐体
２ａ，３ａ  フロントケース
２ｂ，３ｂ  リアケース
３  文字入力側筐体
３ｃ  電池収納部
３ｄ  開口
４  ヒンジ部
５  液晶表示ユニット
６  回路基板
７  操作キー
８  電池
９  電池蓋
１０  カード装着装置
１１  ＵＩＭカード
１２  ＵＩＭ引き出し
１２ａ  カード対向面
１２ｂ  引き手部
１２ｃ，１２ｄ  脚部
１２ｅ  カード当接部
１２ｆ  ケース係合部
１３  実装板金部材
１３ａ  挿脱口
１３ｂ  カード室
１３ｃ  切り欠き部
１３ｄ  穴
１４  サブ基板
１５  サブ基板ケース
１６  バネ接点タイプコネクター
【図２】
2008177923.tif 000003
【図３】
2008177923.tif 000004
【図４】
2008177923.tif 000005
【図５】
2008177923.tif 000006
【図６】
2008177923.tif 000007
【図７】
2008177923.tif 000008
【図８】
2008177923.tif 000009
【図９】
2008177923.tif 000010
【図１０】
2008177923.tif 000011
【図１１】
2008177923.tif 000012
【図１２】
2008177923.tif 000013
【図１】
2008177923.tif 000014